(57)【特許請求の範囲】
【請求項１】
画像を表示する表示画面を有する表示部と、
前記表示画面からの光を通過させる接眼レンズと、
前記表示画面に表示される前記画像に応じた位置関係となるように前記表示画面と前記接眼レンズとを前記接眼レンズの光軸と直交する方向に相対的に移動させる移動部と、
を備える表示装置。
【請求項２】
前記移動部は、前記表示画面が表示する前記画像のうち撮影によって生成された撮影画像データが示す撮影画像の表示領域の中心に前記光軸が重なるように、前記表示画面と前記接眼レンズとを前記光軸と直交する方向に相対的に移動させる、
請求項１に記載の表示装置。
【請求項３】
前記移動部は、前記光軸と直交する方向において前記接眼レンズを固定した状態で前記接眼レンズを収容している鏡筒と、前記表示画面が前記接眼レンズと対向し前記光軸と直交している状態で前記表示部を支持している支持部材と、を、前記光軸と直交する方向に相対的にスライドさせるスライダーを有する、
請求項１または請求項２に記載の表示装置。
【請求項４】
前記移動部は、前記表示画面と前記接眼レンズとを前記光軸と直交する方向において相対的に移動させる操作子を備え、
前記操作子は、撮影によって生成された撮影画像データが示す撮影画像の前記表示画面における表示位置が互いに異なる複数の表示パターンのうち、いずれかの前記表示パターンにおける前記撮影画像の表示領域の中心と前記光軸とが重なる場合に反力を生じさせる機構を有する、
請求項１〜請求項３に記載の表示装置。
【請求項５】
被写体の撮像を行う撮像部と、
前記撮像部の出力に基づいて撮影画像データを生成する画像生成部と、
画像を表示する表示画面を有する表示部と、
前記撮影画像データを含む画像データに基づいて前記撮影画像を含む前記画像を前記表示画面に表示させる表示制御部と、
前記表示画面からの光を通過させる接眼レンズと、
前記表示画面に表示される前記画像に応じた位置関係となるように前記表示画面と前記接眼レンズとを前記接眼レンズの光軸と直交する方向に相対的に移動させる移動部と、
を備える撮影装置。
【請求項６】
画像を表示画面に表示する表示工程と、
前記表示画面に表示される前記画像に応じた位置関係となるように前記表示画面と接眼レンズとを前記接眼レンズの光軸と直交する方向に相対的に移動させる移動工程と、
を含む表示方法。
【発明の詳細な説明】
【技術分野】
【０００１】
本発明は、表示装置、撮影装置、表示方法に関し、特にＥＶＦ（Electronic View Finder）に関する。
【背景技術】
【０００２】
特許文献１には、光学像としての被写体画像と、撮像素子によって光電変換された電子画像としての被写体画像とを、接眼レンズを通して同時に観察可能なファインダーを有する撮像装置について記載されている。また、接眼レンズの光軸は、光学像としての被写体画像の表示領域の中心と、電子画像としての被写体画像の表示領域の中心との間に位置するように構成されていることが記載されている。また、特許文献２には接眼レンズの構成について記載されている。
【先行技術文献】
【特許文献】
【０００３】
【特許文献１】特開２０１０−１６６０７号公報
【特許文献２】特開２０１０−２６６７７６号公報
【発明の概要】
【発明が解決しようとする課題】
【０００４】
一般的に、レンズの光軸から距離が離れた位置ほど、像のゆがみやぼけが生じやすく画質が低下する。ＥＶＦを採用する場合、一般的には、接眼レンズの光軸と表示画面の中心とが一致するように予め双方が配置されている。ところで、ＥＶＦの表示画面には、撮像素子を用いて撮影することによって生成された撮影画像の他にも様々な画像を表示しうる。また、ＥＶＦの表示画面には様々なアスペクト比の撮影画像を表示しうる。そのため、撮影画像はＥＶＦの表示画面の中心に必ず配置されるとは限らない。撮影画像はなるべくよい画質でユーザーに視認させたい。しかし、表示画面の中心（すなわち従来の一般的な構成においては接眼レンズの光軸）からずれた位置に撮影画像の表示領域が位置する場合は、表示画面の中心に撮影画像の表示領域が位置する場合よりも撮影画像の画質がよくない状態となってしまう。例えば、ゆがみやぼけの生じ方が撮影画像の表示領域において左右あるいは上下で対称でないなどの現象が発生しうる。また例えば、撮影画像の中心部分が接眼レンズの光軸から離れているために一致している場合よりも撮影画像の中心部分の画質が低下して見えることが考えられる。
本発明は、上記課題にかんがみてなされたもので、ＥＶＦにおいて、ユーザーが接眼レンズを通して観察する表示画面に表示されている画像の画質を調整可能にすることを目的とする。
【課題を解決するための手段】
【０００５】
上記目的を達成するための撮像装置は、表示部と、接眼レンズと、移動部と、を備える。表示部は、画像を表示する表示画面を有する。接眼レンズは、表示画面からの光を通過させる機能を有する。接眼レンズは複数のレンズから構成されていてもよい。複数のレンズから接眼レンズが構成されている場合はそれらのレンズの光軸は一致した状態で表示装置に備えられている。移動部は、表示画面に表示される画像に応じた位置関係となるように、表示画面と接眼レンズとを接眼レンズの光軸と直交する方向に相対的に移動させる機能を有する。なお、表示画面を移動させることは、表示画面を有する表示部を移動させることを意味する。移動部は、駆動部品を用いて自動的に移動させる構成であってもよいし、あるいは、ユーザーが手動で移動させる構成であってもよい。
【０００６】
本発明の構成によると、接眼レンズの光軸と直交する方向において接眼レンズと表示画面との位置関係を、表示画面に表示される画像に応じて可変にすることができる。そのため、接眼レンズを通してユーザーが観察する表示画面に表示されている画像の画質を調整可能にすることができる。光軸との距離が近いほど画質が高い。そのため、例えば画質をよりよい状態で見たい領域を、多少画質が劣っても問題のない領域よりも、光軸に近づけるように移動させることで、前者の領域に表示される画像をよりよい画質で見ることができる。
【０００７】
さらに、上記目的を達成するための撮影装置において、移動部は、表示画面が表示する画像のうち撮影によって生成された撮影画像データが示す撮影画像の表示領域の中心に接眼レンズの光軸が重なるように、表示画面と接眼レンズとを光軸と直交する方向に相対的に移動させてもよい。
このようにすることで、表示画面に、撮影画像を表示する領域と撮影画像以外の画像（例えば文字や図形など）を表示する領域とが存在する場合に、撮影画像の方をよりよい画質でユーザーに対して視認させることができる。また、接眼レンズの光軸に撮影画像の中心が重なっているので、撮影画像の中心と光軸とが重なっていない場合よりも、ユーザーにとっては撮影画像全体を見やすい。なお、本願において「重なる」とは完全に一致することに限定されず、ユーザーが気にならない程度の誤差が生じていてもかまわない。
【０００８】
さらに、上記目的を達成するための撮影装置において、移動部は、接眼レンズの光軸と直交する方向において接眼レンズを固定した状態で接眼レンズを収容している鏡筒と、表示画面が接眼レンズと対向し光軸と直交している状態で表示部を支持している支持部材と、を、光軸と直交する方向に相対的にスライドさせるスライダーを有してもよい。
この構成により、接眼レンズの光軸に直交する方向において、接眼レンズと対向し光軸と直交している状態の表示画面と、鏡筒に収容された接眼レンズとを、光軸に直交する方向に相対的に移動させることができる。
【０００９】
さらに、上記目的を達成するための撮影装置において、移動部は、表示画面と接眼レンズとを接眼レンズの光軸と直交する方向において相対的に移動させる操作子を備えてもよい。また、その場合に操作子は、撮影によって生成された撮影画像データが示す撮影画像の表示画面における表示位置が互いに異なる複数の表示パターンのうち、いずれかの表示パターンにおける撮影画像の表示領域の中心と光軸とが重なる場合に反力を生じさせる機構を有してもよい。
【００１０】
この構成によると、ユーザーが操作子を操作して接眼レンズと表示画面とを接眼レンズの光軸と直交する方向において相対的に移動させる際に、いずれかの表示パターンにおける撮影画像の表示領域の中心と接眼レンズの光軸とが重なる場合に、ユーザーは操作子からの反力を感じることができる。そのため、いずれかの表示パターンにおける表示領域の中心と光軸とが重なったことをユーザーに認識させることができる。ユーザーは反力を感じた位置で操作子に対する操作を止めると、いずれかの表示パターンにおける撮影画像の表示領域の中心と光軸とを一致させることができる。ユーザーは接眼レンズに瞳を近づけて表示画面に表示されている撮影画像の見え方を確認しながら操作子を操作することにより、その時点で適用されている表示パターンの撮影画像の中心に光軸を一致させることができる。
【００１１】
上記目的を達成するための撮影装置は、撮像部と、画像生成部と、表示部と、表示制御部と、接眼レンズと、移動部と、を備える。撮像部は、被写体の撮像を行う。画像生成部は、撮像部からの出力に基づいて撮影画像データを生成する。表示部は、画像を表示する表示画面を有する。表示制御部は、撮影画像データを含む画像データに基づいて撮影画像を含む画像を表示画面に表示させる。接眼レンズは、表示画面からの光を通過させる。移動部は、表示画面に表示される画像に応じた位置関係となるように表示画面と接眼レンズとを接眼レンズの光軸と直交する方向に相対的に移動させる。
【００１２】
この構成を備えることにより、撮影装置において、接眼レンズの光軸と直交する方向において接眼レンズと表示画面との位置関係を、表示画面に表示される画像に応じて可変にすることができる。そのため、接眼レンズを通してユーザーが観察する表示画面に表示されている画像の画質を調整可能にすることができる。
【００１３】
なお、請求項に記載された各部の機能は、構成自体で機能が特定されるハードウェア資源、プログラムにより機能が特定されるハードウェア資源、又はそれらの組み合わせにより実現される。また、これら各部の機能は、各々が物理的に互いに独立したハードウェア資源で実現されるものに限定されない。さらに、本発明は表示方法の発明としても成立する。
【図面の簡単な説明】
【００１４】
【図１】本発明の実施形態にかかる撮影装置を示すブロック図。
【図２】（２Ａ）は第一実施形態にかかる鏡筒と支持部とを示す斜視図、（２Ｂ）は第一実施形態にかかる支持部材を示す平面図。
【図３】（３Ａ）および（３Ｂ）は第一実施形態にかかる断面図。
【図４】（４Ａ）および（４Ｂ）は第一実施形態にかかる断面図。
【図５】（５Ａ）および（５Ｂ）は第一実施形態にかかる表示画面を示す図。
【図６】（６Ａ）および（６Ｂ）は他の実施形態にかかる表示画面を示す図。
【図７】他の実施形態にかかる操作子を示す模式図。
【発明を実施するための形態】
【００１５】
以下、本発明の実施の形態を添付図面を参照しながら説明する。尚、各図において対応する構成要素には同一の符号が付され、重複する説明は省略される。
【００１６】
１．第一実施形態
１−１．構成
図１は、本実施形態にかかる撮影装置１の構成を示すブロック図である。撮影装置１には、ＥＶＦ部１０と光学系２０とエリアイメージセンサー３０と制御部４０と背面表示部５０と操作部６０と記録部７０とが備えられている。
【００１７】
光学系２０は、エリアイメージセンサー３０に被写体画像を結像させる図示しないレンズ、絞り、シャッター、およびそれらの動作を制御するコントローラーを備えている。「撮像部」としてのエリアイメージセンサー３０は、ベイヤー配列されたカラーフィルターと、光量に応じた電荷を光電変換によって画素ごとに蓄積する複数のフォトダイオードとを備えるＣＭＯＳ（Complementary Metal Oxide Semiconductor）イメージセンサーである。むろん、撮像素子はＣＣＤ（Charge Coupled Device）イメージセンサーであってもよい。
【００１８】
背面表示部５０は、撮影装置１の背面側に設けられた表示部であり、図示しないインターフェース回路、液晶パネルドライバー、液晶パネル等を備えている。操作部６０は、シャッター操作部、撮影モードを切り換えるための操作部、各種の設定メニューを操作するための操作部等を備えており、ユーザーは当該操作部６０に対する操作によって撮影装置１に対して各種の指示を与えることができる。記録部７０は、図示しない記録媒体を挿入することが可能であり、記録部７０に記録媒体が挿入された状態で、記録媒体に対して情報を記録し、また、記録媒体から情報を読み出すことができる。すなわち、撮影した画像を示す画像データを記録媒体に記録することができる。
【００１９】
制御部４０は、撮影装置１の各部を制御するための各種処理を実行する回路が構成されたＳＯＣ（System On a Chip）であり、制御部４０は、ＥＶＦ部１０と光学系２０とエリアイメージセンサー３０と背面表示部５０と操作部６０と記録部７０との動作を制御する。制御部４０は、操作部６０を用いて入力されたユーザーの指示を受け付け、指示に応じた処理を行うように各部に指示を与える。また制御部４０は、操作部６０における指示やデフォルト設定に基づいて撮影条件を特定し、当該撮影条件にて撮影を行うためにエリアイメージセンサー３０や光学系２０に制御信号を出力しエリアイメージセンサー３０や光学系２０を動作させて撮影を行う。
【００２０】
また制御部４０は、エリアイメージセンサー３０の出力データを取得し、当該出力データから背面表示部５０やＥＶＦ部１０への表示用の画像データ（撮影画像データ）を生成する。この場合に制御部４０は「画像生成部」として機能する。また、撮影条件等の各種情報を示す文字や図形のＯＳＤ（On Screen Display）画像データを図示しないＲＯＭから取得する。制御部４０は撮影画像データやＯＳＤ画像データに基づいて、撮影画像やＯＳＤ画像（撮影条件を示す文字や図形など）を、ＥＶＦ部１０の液晶パネル１１に表示させる。制御部４０はこれらの画像を、液晶パネル１１の図示しないインターフェース回路や液晶パネルドライバー等を制御することによって液晶パネル１１に表示させることができる。この場合に制御部４０は「表示制御部」として機能する。なお制御部４０は撮影画像データやＯＳＤ画像データに基づいて撮影画像やＯＳＤ画像を背面表示部５０の図示しない液晶パネルに表示させることもできる。また、制御部４０は、当該出力データから記録媒体への記録用の画像データを生成する。
【００２１】
ＥＶＦ部１０と制御部４０とは、「表示装置」に相当する。ＥＶＦ部は、「表示部」としての液晶パネル１１、支持基板１２、支持部１３、鏡筒１４、第一駆動部１５、第二駆動部１６を備えている。支持基板１２と支持部１３とは「支持部材」に相当する。制御部４０は、液晶パネル１１の表示画面に表示させる画像に応じた位置関係となるように、第一駆動部１５や第二駆動部１６に指示を与え、鏡筒１４に対して支持部１３や支持基板１２を移動させる。この場合に制御部４０は「移動部」として機能する。
【００２２】
図２Ａは、支持部１３と鏡筒１４とを示す斜視図である。本明細書においては、互いに直交するｘｙｚ軸を次のように定義する。ｚ軸は後述する接眼レンズの光軸Ａと平行な軸である。ｘ軸は、液晶パネル１１の表示画面１００の幅方向と平行な軸であり、ｙ軸は高さ方向と平行な軸である。図２Ｂは、鏡筒１４側からｚ軸に平行な方向に支持部１３および支持基板１２等を見た平面図である（鏡筒１４は不図示）。図３Ａおよび図３Ｂは、支持部１３および鏡筒１４の断面図であって、光軸Ａを通りｘｚ平面と平行な断面の断面図である。図４Ａおよび図４Ｂは、支持部１３および鏡筒１４の断面図であって、光軸Ａを通りｙｚ平面と平行な断面の断面図である。
【００２３】
鏡筒１４は内部に空洞が形成された略直方体であり、内部に接眼レンズＬを収容している。接眼レンズＬは図３および図４に示すように複数のレンズＬ１，Ｌ２，Ｌ３で構成されている。接眼レンズＬを構成する各レンズＬ１，Ｌ２，Ｌ３の各光軸Ａが一致した状態で各レンズＬ１，Ｌ２，Ｌ３の外縁部が鏡筒１４の内壁に支持されている。接眼レンズＬを構成する各レンズＬ１，Ｌ２，Ｌ３は鏡筒１４に対して動かないように固定されている。なお、視度調整のために接眼レンズＬを構成する各レンズＬ１，Ｌ２，Ｌ３の少なくとも１枚を鏡筒１４内で又は鏡筒１４ごと光軸Ａに平行な方向にスライドさせる機構を備えていても良い。
【００２４】
鏡筒１４は、撮影装置１の図示しない筐体に対して固定されている。鏡筒１４の光軸Ａと平行な方向の一端には透明な板状の接眼窓１４ａが取り付けられ、撮影装置１の外部から鏡筒１４内部への塵の進入を防止するとともに、鏡筒１４内部からの光を鏡筒１４の外部に通過させる。また、鏡筒１４の光軸Ａと平行な方向における他端は支持部１３に接している。なお、レンズＬ３の鏡筒１４への組込の密閉性を高めることで、内部への塵の進入を防止する構造の場合は、透明な板状の接眼窓１４ａはなくてもよい。
【００２５】
支持部１３は、内部に空洞を有する直方体の形状をしており、一辺を共有する二つの面のそれぞれから当該空洞に到達する開口１３ｃが形成されている。当該二つの面のうちの一方の面はｘｙ平面と平行であり、当該面において支持部１３は鏡筒１４にｘ軸と平行な方向にスライド可能に接する。すなわち支持部１３の鏡筒１４と接するｘｙ平面と平行な面にはｘ軸と平行な方向にのびる２つのガイドレール１３ａが形成されており、このガイドレール１３ａと鏡筒１４に形成された溝部１４ｂとが嵌め合わされている。ガイドレール１３ａと溝部１４ｂとで「スライダー」が構成されている。
【００２６】
第一駆動部１５は、鏡筒１４に対してｘ軸と平行な方向に支持部１３を移動させる機能を有する。第一駆動部１５は、ラック１５ａ、ピニオン１５ｂ、軸１５ｃ、モーター１５ｄ、図示しないモーターコントローラー等を有する。ラック１５ａは、ｘ軸と平行にのびる平板状の棒であり、支持部１３に取り付けられている。ラック１５ａは歯切りされた面を有し、歯切りされている面の凹凸と、歯車であるピニオン１５ｂの凹凸とが嵌め合わされている。ピニオン１５ｂの回転軸である軸１５ｃはｙ軸と平行である。軸１５ｃには、当該軸を回転軸とするモーター１５ｄが取り付けられている。モーター１５ｄは撮影装置１の筐体に対して位置が変化しないように固定されている。ステッピングモーターであるモーター１５ｄがモーターコントローラーから出力された制御信号に応じて回転するとピニオン１５ｂも回転し、ピニオン１５ｂと歯がかみ合っているラック１５ａとともに支持部１３はｘ軸と平行な方向に移動する。したがって、支持部１３は鏡筒１４に対してｘ軸と平行な方向に移動することができる。
【００２７】
支持部１３の内部には液晶パネル１１と当該液晶パネル１１を支持する支持基板１２とが収容されている。支持基板１２には凸部１２ａが二つ形成されている。支持部１３の内壁面であってｘｚ平面に平行な内壁面にはｙ軸と平行な方向にのびる溝部１３ｂが２つ形成されており、支持基板１２の凸部１２ａが当該溝部１３ｂに嵌め合わされている。凸部１２ａと溝部１３ｂとで「スライダー」が構成されている。本実施形態においては、ガイドレール１３ａと溝部１４ｂとで構成されるスライダーと、第一駆動部１５と、凸部１２ａと溝部１３ｂとで構成されるスライダーと、後述する第二駆動部１６と、制御部４０とが、「移動部」に相当する。
【００２８】
第二駆動部１６は、鏡筒１４に対してｙ軸と平行な方向に支持基板１２を移動させる機能を有する。第二駆動部１６は、ラック１６ａ、ピニオン１６ｂ、軸１６ｃ、モーター１６ｄ、図示しないモーターコントローラー等を有する。ラック１６ａは、ｙ軸と平行にのびる平板状の棒であり、支持基板１２に取り付けられている。ラック１６ａは歯切りされた面を有し、歯切りされた面の凹凸と、歯車であるピニオン１６ｂの凹凸とが嵌め合わされている。ピニオン１６ｂの回転軸である軸１６ｃはｘ軸と平行である。軸１６ｃには、当該軸を回転軸とするモーター１６ｄが取り付けられている。モーター１６ｄは支持部１３に対して位置が変化しないように固定されている。ステッピングモーターであるモーター１６ｄがモーターコントローラーから出力された制御信号に応じて回転するとピニオン１６ｂも回転し、ピニオン１６ｂと歯がかみ合っているラック１６ａとともに支持基板１２はｙ軸と平行な方向に移動する。したがって、支持基板１２および液晶パネル１１は支持部１３に対してｙ軸と平行な方向に移動することができる。支持部１３は鏡筒１４に対してｙ軸と平行な方向における移動が規制されているので、支持基板１２および液晶パネル１１は鏡筒１４に対してｙ軸と平行な方向において移動すると言い換えることができる。前述したように接眼レンズＬの光軸Ａは鏡筒１４に対して固定されている。したがって以上の構成により、液晶パネル１１は、接眼レンズＬの光軸Ａに対して光軸Ａに直交するｘｙ平面と平行な平面において移動することができる。
【００２９】
１−２．動作
続いて、撮影装置１におけるＥＶＦ部１０の液晶パネル１１に画像を表示させる際の、支持部１３および支持基板１２を移動させる動作について説明する。この動作は、例えばライブビューを表示中に、撮影画像の表示態様（表示パターン）を変更する際に行われることが想定される。その他にも例えば、記録媒体に記録した撮影画像を表示する場合に、撮影画像の表示態様（表示パターン）を変更する際などに移動動作が行われても良い。
【００３０】
図５Ａおよび図５Ｂは、本実施形態における撮影画像の２つの表示パターンを示している。図５Ａは第一の表示パターンを示しており、図５Ｂは第二の表示パターンを示している。本実施形態において液晶パネル１１の表示画面１００は、幅Ｗ１：高さＨ１が１２：９（＝４：３）である。また、本実施形態においては液晶パネル１１に表示させる撮影画像のアスペクト比は３：２である。したがって図中のＷ２：Ｈ２は３：２である。第一の表示パターンでは、撮影画像の表示領域１００ａの上端が表示画面１００の上端と一致するとともに、撮影画像の表示領域１００ａの幅Ｗ２を表示画面１００の幅Ｗ１とが一致する。表示画面１００のうち撮影画像の表示領域１００ａを除く残りの矩形領域はＯＳＤ表示領域１００ｂであり、撮影条件などが表示される。図５Ａ中の１１１は表示画面１００の中心を示している。図５Ａ中の１１２は第一の表示パターンにおける撮影画像の表示領域１００ａの中心を示している。
【００３１】
第二の表示パターンでは、撮影画像の表示領域１００ｃは表示画面１００の左上に寄せられている。撮影画像の表示領域１００ｃは、第一の表示パターンにおける撮影画像の表示領域１００ａよりもアスペクト比を保ったまま縮小したサイズで設定されている。すなわち、撮影画像の表示領域１００ｃの幅Ｗ３＜Ｗ１であり、撮影画像の表示領域１００ｃの高さＨ３＜Ｈ２＜Ｈ１である。表示画面１００のうち撮影画像の表示領域１００ｃを除く領域はＯＳＤ表示領域１００ｄである。図５Ｂ中の１１３は第二の表示パターンにおける撮影画像の表示領域１００ｃの中心を示している。
【００３２】
制御部４０は、接眼レンズＬの光軸Ａと中心１１３とが重なる位置から接眼レンズＬの光軸Ａと中心１１２とが重なる位置に支持部１３を移動させるために第一駆動部１５に出力するパラメーターＰ１と、当該位置に支持基板１２を移動させるために第二駆動部１６に出力するパラメーターＰ２とを予め記憶している。また制御部４０は、接眼レンズＬの光軸Ａと中心１１２とが重なる位置から接眼レンズＬの光軸Ａと中心１１３とが重なる位置に支持部１３を移動させるために第一駆動部１５に出力するパラメーターＰ３と、当該位置に支持基板１２を移動させるために第二駆動部１６に出力するパラメーターＰ４とを予め記憶している。第一駆動部１５のモーターコントローラーは、これらのパラメーターを制御部４０から取得すると、パラメーターが示すような移動を支持部１３にさせるための制御信号をモーター１５ｄに出力する。第二駆動部１６のモーターコントローラーは、これらのパラメーターを制御部４０から取得すると、パラメーターが示すような移動を支持基板１２にさせるための制御信号をモーター１６ｄに出力する。その結果、パラメーターが示す位置に上述したように支持部１３および支持基板１２が移動する。
【００３３】
電源がオンされて初期化処理が終了した初期状態においては、中心１１２が光軸Ａと重なる状態でライブビューを第一の表示パターンで表示する。すなわち制御部４０は第一の表示パターンとして定義されている撮影画像の表示領域１００ａのサイズの撮影画像データをエリアイメージセンサー３０の出力データから生成するとともに撮影条件を示すＯＳＤ画像データを生成する。そして制御部４０は撮影画像データに基づいて表示画面１００の表示領域１００ａに撮影画像を表示させ、ＯＳＤ画像データに基づいて表示画面１００の表示領域１００ｂにＯＳＤ画像を表示させる。その結果液晶パネル１１は表示画面１００の表示領域１００ａに撮影画像を表示するとともに表示領域１００ｂにＯＳＤ画像を表示する。その結果、撮影画像の表示領域１００ａの中心１１２に光軸Ａが一致している。図３Ａおよび図４Ａは、中心１１２に光軸Ａが一致している場合の断面図である。
【００３４】
続いてユーザーがライブビューを第二の表示パターンで表示するように操作部６０を操作して撮影装置１に指示を与えると、制御部４０は第二の表示パターンとして定義されている撮影画像の表示領域１００ｃのサイズの撮影画像データをエリアイメージセンサー３０の出力データから生成するとともに撮影条件を示すＯＳＤ画像データを生成する。そして制御部４０は撮影画像データに基づいて表示画面１００の表示領域１００ｃに撮影画像を表示させ、ＯＳＤ画像データに基づいて表示画面１００の表示領域１００ｄにＯＳＤ画像を表示させる。その結果液晶パネル１１は表示画面１００の表示領域１００ｃに撮影画像を表示するとともに表示領域１００ｄにＯＳＤ画像を表示する。そして制御部４０は、第一駆動部１５にパラメーターＰ３を出力するとともに第二駆動部１６にパラメーターＰ４を出力する。その結果、撮影画像の表示領域１００ｃの中心１１３に光軸Ａを一致させることができる。図３Ｂおよび図４Ｂは、中心１１３に光軸Ａが一致している場合の断面図である。表示パターンが第一の表示パターンから第二の表示パターンに変更された場合、接眼窓１４ａ側から見て支持部１３は鏡筒１４に対して右に移動し支持基板１２は鏡筒１４に対して下に移動する。
そして、ユーザーがライブビューを第一の表示パターンで再度表示するように操作部６０を操作して撮影装置１に指示を与えると、制御部４０は第一の表示パターンとして定義されている撮影画像の表示領域１００ａのサイズの撮影画像データをエリアイメージセンサー３０の出力データから生成するとともに撮影条件を示すＯＳＤ画像データを生成する。そして制御部４０は撮影画像データに基づいて表示画面１００の表示領域１００ａに撮影画像を表示させ、ＯＳＤ画像データに基づいて表示画面１００の表示領域１００ｂにＯＳＤ画像を表示させる。その結果液晶パネル１１は表示画面１００の表示領域１００ａに撮影画像を表示するとともに表示領域１００ｂにＯＳＤ画像を表示する。そして制御部４０は、第一駆動部１５にパラメーターＰ１を出力するとともに第二駆動部１６にパラメーターＰ２を出力する。その結果、撮影画像の表示領域１００ａの中心１１２に光軸Ａを一致させることができる。
【００３５】
このように、本実施形態によると、液晶パネル１１の表示画面に表示される撮影画像の表示領域の中心に光軸Ａが重なるように支持部１３および支持基板１２を鏡筒１４に対して移動させることができる。そのため、撮影画像の方をＯＳＤ画像よりもよい画質でユーザーに対して視認させることができる。また、接眼レンズＬの光軸Ａに撮影画像の中心が重なっているので、撮影画像の中心と光軸Ａとが重なっていない場合よりも、ユーザーにとって撮影画像全体を見やすくすることができる。
【００３６】
２．他の実施形態
尚、本発明の技術的範囲は、上述した実施例に限定されるものではなく、以下の変形例を組み合わせるなど、本発明の要旨を逸脱しない範囲内において種々変更を加え得ることは勿論である。例えば、上記実施形態では、液晶パネル１１がｘ軸と平行な方向とｙ軸と平行な方向との２方向において鏡筒１４に対して移動可能である構成を説明したが、１方向にのみ移動可能であってもよいし、３以上の方向に移動可能であっても良い。例えば、液晶パネル１１が光軸Ａと直交するｘ軸と平行な方向においてのみ鏡筒１４に対して移動可能な構成であってもよいし、図５Ｂの中心１１２と１１３とを通る直線（表示領域１００ａの対角線と重なる表示領域１００ｃの対角線）の方向においてのみ鏡筒１４に対して移動可能な構成であってもよい。図６は、他の実施形態にかかる液晶パネル１１の表示画面を示している。液晶パネル１１の表示画面２００は、幅Ｗ４：高さＨ４が３２：１８（＝１６：９）である。この表示画面２００を有する液晶パネルを備えている撮影装置において幅：高さが３：２の撮影画像を表示させる表示パターンとして、例えば図６Ａに示す表示パターンと図６Ｂに示す表示パターンが設計される。図６Ａの表示パターンは、撮影画像の表示領域２００ａの高さＨ５と表示画面２００の高さＨ４とを一致させ、撮影画像の表示領域２００ａの中心２０２が表示画面２００の中心２０１と重なるように表示させる構成を示している。図６Ｂの表示パターンは、撮影画像の表示領域２００ｂの高さＨ６と表示画面２００の高さＨ４とを一致させ、撮影画像の表示領域２００ｂを表示画面２００の左端に寄せて表示し、表示画面２００の右端側にＯＳＤ表示領域２００ｃを設け撮影条件等を表示する構成を示している。
【００３７】
これら二つの表示パターンにおいては、撮影画像の表示領域の高さを表示画面２００の高さＨ４と一致させており、これらの表示パターンの撮影画像の表示領域の中心２０２，２０３を通る直線は、表示画面２００の中心２０１を通り、ｘ軸と平行である。そのため、この２つの表示パターンを有する撮影装置の場合は、ｘ軸に平行な方向に鏡筒１４に対して支持部１３が移動する構成を備えていればよい。
【００３８】
また、上記実施形態では、モーターなどの駆動部品を備えて自動的に接眼レンズＬと液晶パネル１１とを相対的に移動させる構成を説明したが、手動で移動させる構成であってもよい。図７は、ｘ軸と平行な方向に支持部１３を鏡筒１４に対して手動で移動させるための操作子を示す模式図である。操作子１７は、つまみ１７ａと、スライド用部材１７ｂと、連結用部材１７ｃと、ばね部１７ｄと、突起部１７ｅとを備えている。つまみ１７ａは撮影装置の筐体Ｈの外側に設けられている。スライド用部材１７ｂは、支持部１３と結合しスライド方向（ｘ軸と平行な方向）にのびる平板状の棒である。スライド用部材１７ｂのつまみ１７ａ側の面には複数の溝１７ｆが形成されている。
【００３９】
連結用部材１７ｃは、つまみ１７ａとスライド用部材１７ｂとを連結する。ばね部１７ｄの外形は筒状であり、一端が筐体Ｈの内壁に固定されている。ばね部１７ｄは内部にばねを備えており、ばねの一端は筐体Ｈの内壁に固定されている。ばねの他端は突起部１７ｅと接続している。したがって突起部１７ｅは筐体Ｈ側からスライド用部材１７ｂ側に押しつけられている。スライド用部材１７ｂに形成されている複数の溝１７ｆは、撮影画像の表示画面内の表示位置が互いに異なる複数の表示パターンごとに形成されている。より具体的には、ｘ軸と平行な方向における光軸Ａと突起部１７ｅとの距離をｄとすると、各表示パターンにおける撮影画像の表示領域の中心からｘ軸と平行な方向のスライド用部材１７ｂ側に距離ｄ離れた位置に溝１７ｆが形成されている。鏡筒１４と支持部１３には前述したガイドレール１３ａと溝部１４ｂが形成されており、ｘ軸と平行な方向にスライド可能に接している。鏡筒１４は筐体Ｈに対して固定されている。ガイドレール１３ａと溝部１４ｂとで構成される「スライダー」と操作子１７とが「移動部」に相当する。
【００４０】
ユーザーがつまみ１７ａをｘ軸と平行な方向にスライドさせる際、いずれかの溝に突起部１７ｅが嵌り込むと、ユーザーが支持部１３をスライドさせようと力を加えている方向と反対方向の力（反力）が、嵌り込んでいない場合よりも大きくなる。そのため突起部１７ｅが溝に嵌り込んだ場合にユーザーにクリック感を感じさせることができる。ユーザーはクリック感を感じるといずれかの表示パターンにおける撮影画像の表示領域の中心に光軸Ａが重なったことを認識することができる。すなわち、以上のような構成の操作子を備えることにより、光軸Ａに対する支持部１３の位置合わせを補助することができる。
【００４１】
また、上記実施形態では、撮影装置１の筐体に対して鏡筒１４が固定され支持部１３や支持基板１２が鏡筒１４に対して移動する構成（接眼レンズＬに対して液晶パネル１１が移動する構成）を説明したが、接眼レンズＬと液晶パネル１１とは光軸Ａに直交する方向に相対的に移動することができる限りにおいてどのような構成であってもよい。例えば、撮影装置１の筐体に対して液晶パネル１１が間接的に固定されており、鏡筒１４が液晶パネル１１及び撮影装置１の筐体に対して移動する構成であってもよい。また例えば、液晶パネル１１および鏡筒１４の両方が撮影装置１の筐体に対して移動する構成であってもよい。例えばｘ軸と平行な方向に鏡筒１４が移動し、ｙ軸と平行な方向に液晶パネル１１が移動する構成などであってもよい。
【００４２】
また、上記実施形態では、撮影画像の表示領域の中心に光軸が重なるように移動させる構成を説明したが、移動の態様はこれに限定されない。撮影画像の他にも表示画面に表示される画像のうち注目すべき領域に対してその領域が光軸Ａに重なるように移動させてももちろんよい。
また、上記実施形態では、２つの表示パターンがあり、それぞれの表示パターン間で接眼レンズＬと液晶パネル１１との相対移動を行っていたが、表示パターンが３以上あり、それぞれの表示パターン間で接眼レンズＬと液晶パネル１１との相対移動を行うようにしてもよい。この場合、制御部４０は、それぞれの表示パターン間で接眼レンズＬと液晶パネル１１との相対移動を行うことができるようにパラメーターを記憶しておく。なおこの場合、複数の表示パターンの中に、撮影画像の表示領域の中心が同じ位置であるものが存在してもよい。
さらに、接眼レンズＬと液晶パネル１１との電源オン時の初期位置は、いずれの表示パターンでの撮影画像の表示領域の中心にも光軸が位置していなくてもよい。この場合、例えば液晶パネル１１に最初にライブビューをいずれかの表示パターンで表示する際に、当該表示パターンにおける撮影画像の表示領域の中心に光軸が重なるように接眼レンズＬと液晶パネル１１との相対移動を行うようにする。
【符号の説明】
【００４３】
１…撮影装置、１０…ＥＶＦ部、１１…液晶パネル、１２…支持基板、１２ａ…凸部、１３…支持部、１３ａ…ガイドレール、１３ｂ…溝部、１３ｃ…開口、１４…鏡筒、１４ａ…接眼窓、１４ｂ…溝部、１５…第一駆動部、１５ａ…ラック、１５ｂ…ピニオン、１５ｃ…軸、１５ｄ…モーター、１６…第二駆動部、１６ａ…ラック、１６ｂ…ピニオン、１６ｃ…軸、１６ｄ…モーター、１７…操作子、１７ａ…つまみ、１７ｂ…スライド用部材、１７ｃ…連結用部材、１７ｄ…ばね部、１７ｅ…突起部、１７ｆ…溝、２０…光学系、３０…エリアイメージセンサー、４０…制御部、５０…背面表示部、６０…操作部、７０…記録部、１００…表示画面、１００ａ…撮影画像の表示領域、１００ｂ…ＯＳＤ表示領域、１００ｃ…撮影画像の表示領域、１００ｄ…ＯＳＤ表示領域、１１１…中心、１１２…中心、１１３…中心、２００…表示画面、２００ａ…撮影画像の表示領域、２００ｂ…撮影画像の表示領域、２００ｃ…ＯＳＤ表示領域、２０１…中心、２０２…中心、２０３…中心、Ａ…光軸、Ｈ…筐体、Ｌ…接眼レンズ、Ｌ１，Ｌ２，Ｌ３…レンズ（接眼レンズ）
【図１】
0005861527.tif 000002
【図２】
0005861527.tif 000003
【図３】
0005861527.tif 000004
【図４】
0005861527.tif 000005
【図５】
0005861527.tif 000006
【図６】
0005861527.tif 000007
【図７】
0005861527.tif 000008